(57)【要約】【課題】本発明は、配置の自由度を高めつつ、メンテナンス性を向上することができる燃料電池ユニットを提供する。【解決手段】筐体１２ａの内部のメンテナンスを行うためのメンテナンス面１２ｂに、前記筐体１２ａ内の燃料電池モジュール２０に発電用燃料を供給する配管２４が配索される配管・配線部１２ｉと、前記燃料電池モジュール２０からの排気を排出する排出部１３と、が設けられている。【選択図】図２
2018160324.tif 000002
【特許請求の範囲】
【請求項１】
筐体の内部のメンテナンスを行うためのメンテナンス面に、
前記筐体内の燃料電池モジュールに発電用燃料を供給する配管が配索される配管部と、
前記燃料電池モジュールからの排気を排出する排出部と、
が設けられている燃料電池ユニット。
【請求項２】
前記筐体の側面に前記メンテナンス面が設定されている請求項１記載の燃料電池ユニット。
【請求項３】
前記筐体は、奥行より横幅が長い直方体形状であり、
前記メンテナンス面は前記筐体の横幅方向に位置する一側面に設定されている請求項２記載の燃料電池ユニット。
【発明の詳細な説明】
【技術分野】
【０００１】
本発明は、燃料電池ユニットに関する。
【背景技術】
【０００２】
従来、水素生成装置で生成した水素を用いて発電する燃料電池システムが知られている（例えば、特許文献１参照）。
【０００３】
この燃料電池システムにおける燃料電池ユニット（本体パッケージ）の筐体は、直方体形状に形成されている。この筐体の第１の側面の下部には、吸気口が設けられており、第２の側面の上部には、排気口が設けられている。筐体の正面を構成する外装板は、ネジでフレームに固定されており、着脱可能なメンテナンス面とされている。
【０００４】
これにより、メンテナンス時には、ネジを外して筐体正面の外装板を取り外すことで、内部のメンテナンス（保守点検）が行える。
【先行技術文献】
【特許文献】
【０００５】
【特許文献１】ＷＯ２０１１／０６７９３０
【発明の概要】
【発明が解決しようとする課題】
【０００６】
しかしながら、このような燃料電池ユニットにあっては、設置時において筐体の第２の側面側に排気用空間を確保するとともに、筐体正面の外装板側にメンテナンスを行う作業空間を確保しなければならず、配置が制限される。
【０００７】
また、メンテナンス時には、外装板側からメンテナンス作業を行う必要がある。一方、排気口の点検や清掃を行う際には、第２の側面板側から作業を行う必要があり、不便であった。
【０００８】
本発明は、このような事情に鑑みてなされたものであり、配置の自由度を高めつつ、保守点検作業性(以下、メンテナンス性)を向上することができる燃料電池ユニットを提供することを目的とする。
【課題を解決するための手段】
【０００９】
第一態様では、筐体の内部のメンテナンスを行うためのメンテナンス面に、前記筐体内の燃料電池モジュールに発電用燃料を供給する配管が配索される配管部と、前記燃料電池モジュールからの排気を排出する排出部と、が設けられている。
【００１０】
すなわち、筐体のメンテナンス面に、配管用の配管部と、排気を排出する排出部とが集約されている。
【００１１】
このため、メンテナンス面と配管部と排出部とが異なる面に設けられ、設置時において、メンテナンス面側に作業空間を確保し、配管部側に配索空間を確保するとともに、排出部側に排気空間を確保しなければならない場合と比較して、配置の自由度が高まる。
【００１２】
また、メンテナンス面側へアクセスできれば、配管部での配管の検査やメンテナンス、筐体内部の検査やメンテナンス、及び排出部の検査やメンテナンスなどを行うことができる。
【００１３】
さらに、筐体のメンテナンス面に配管と排出部とが集約されることから、筐体の他の面の構造を簡素化することが可能となり、製造コストを抑えることができるとともに、組立容易性が向上する。
【００１４】
第二態様では、前記筐体の側面に前記メンテナンス面が設定されている。
【００１５】
すなわち、メンテナンス面が筐体の側面に設定されるので、当該メンテナンス面が通路の長さ方向に位置するように筐体を設置することで、施工やメンテナンスの作業空間、配索空間、及び排気空間を通路の長さ方向に確保することができる。
【００１６】
このため、配管部や排出部の方向を優先して配置した結果、メンテナンス面が通路幅方向に位置してしまう場合と比較して、通路長さ方向に広い作業空間を確保することができる。
【００１７】
このとき、メンテナンス面が通路長さ方向の一方側又は他方側に位置するように配置すれば、メンテナンス面の方向は限定されない。このように筐体の反転設置を可能とすれば、配置の自由度が高まる。
【００１８】
第三態様では、前記筐体は、奥行より横幅が長い直方体形状であり、前記メンテナンス面は前記筐体の横幅方向に位置する一側面に設定されている。
【００１９】
すなわち、奥行より横幅が長い直方体形状の筐体には、横幅方向に位置する一側面にメンテナンス面が設定されている。
【００２０】
このため、筐体の横幅方向を通路の長さ方向に合わせて設置すれば、通路の長さ方向に広い作業空間を確保しつつ、筐体と通路側縁との間の空きスペースを広くすることができる。これにより、筐体の側部に通り抜けスペースを形成することが容易となる。
【発明の効果】
【００２１】
第一態様の燃料電池ユニットでは、配置の自由度を高めつつ、メンテナンス性を向上することができる。
【図面の簡単な説明】
【００２２】
【図１】本発明の一実施形態に係る燃料電池ユニットを備えた燃料電池システムを示す斜視図である。
【図２】同実施形態の燃料電池ユニットを示す斜視図である。
【図３】同実施形態の燃料電池システムを示すブロック図である。
【図４】同実施形態の燃料電池ユニットを設置して燃料電池システムを構築した状態を示す平面図である。
【発明を実施するための形態】
【００２３】
以下、本実施形態に係る燃料電池ユニットを備えた燃料電池システムを図１〜図４を参照しつつ説明する。
【００２４】
この燃料電池システム１０は、図１に示したように、燃料ガス及び水を用いて発電を行う蓄熱ユニット一体型の燃料電池ユニット１２と、燃料電池ユニット１２で加熱された上水を目的の温度まで加熱する給湯器ユニット１４とを備えている。
【００２５】
燃料電池ユニット１２の筐体１２ａは、図２にも示すように、奥行寸法より幅寸法が長い直方体形状に形成されている。長手方向ＮＨに位置する左側面１２ｅから右側面１２ｆまでの幅寸法をＷ１、底面１２ｇから天面１２ｈまでの高さ寸法をＨ１、短手方向ＴＨに位置する正面１２ｄから背面１２ｃまでの奥行寸法をＤ１とすると、奥行寸法Ｄ１より幅寸法Ｗ１が長い（Ｄ１＜Ｗ１）。
【００２６】
なお、燃料電池ユニット１２の正面１２ｄ及び背面１２ｃは、説明の都合上付した名称であり、表面の意匠性の違いや設置状態での向きを限定するものではない。また、燃料電池ユニット１２の左側面１２ｅ及び右側面１２ｆも、説明の都合上付した名称であり、表面の意匠性の違いや設置状態での向きを限定するものではない。
【００２７】
筐体１２ａの天面１２ｈは、天面側メンテナンス面１２ｊを構成しており、天面側メンテナンス面１２ｊは、例えばフレームにヒンジを介して固定された扉構造や、周縁部がネジで固定された取り外し可能なパネル構造が挙げられる。これにより、天面側メンテナンス面１２ｊを開放することで、燃料電池ユニット１２内部のメンテナンスを上方から行える。ここで、メンテナンス面とは、保守点検を行う際にその一部または全部が開放される面を言う。
【００２８】
また、筐体１２ａの側面の一例である右側面１２ｆは、燃料電池側メンテナンス面１２ｂを構成しており、燃料電池側メンテナンス面１２ｂは、例えばフレームにヒンジを介して固定された扉構造や、周縁部がネジで固定された取り外し可能なパネル構造が挙げられる。これにより、燃料電池側メンテナンス面１２ｂを開放することで、燃料電池ユニット１２内部のメンテナンスを側方から行える。
【００２９】
なお、このようなメンテナンス面を、追加的に例えば天面１２ｈ、背面１２ｃ、正面１２ｄに設定しても良い。
【００３０】
ここで、本実施形態では、燃料電池側メンテナンス面１２ｂを構成する右側面１２ｆ全体を開閉できるように構成した場合について説明するが、これに限定されるものではない。例えば右側面１２ｆの一部を部分的に開閉する扉構造やパネル構造を当該右側面１２ｆに設け、この右側面１２ｆによって燃料電池側メンテナンス面１２ｂを構成してもよい。
【００３１】
なお、筐体１２ａの底面１２ｇ及び天面１２ｈを除いた左側面１２ｅ、正面１２ｄ、及び背面１２ｃは、筐体１２ａの側面を構成し、前述した燃料電池側メンテナンス面１２ｂを構成し得る。
【００３２】
燃料電池側メンテナンス面１２ｂには、排気部の一例である排気口１３が設けられている。この排気口１３は、燃料電池側メンテナンス面１２ｂに設けられた開口部を閉鎖するとともに、上下方向に配置された複数のスリット１３ａを有する蓋体１３ｂで構成されている。各スリット１３ａは、例えば蓋体１３ｂの一部が外方向へ切り起こされて形成されており、各スリット１３ａの上縁からは、対応するスリット１３ａの開口方向外側に延出し雨水や小動物等の浸入を防止する庇部が切り起こされた部位によって形成されている（図示省略）。
【００３３】
燃料電池側メンテナンス面１２ｂの下部には、配管および配線が配索される配管部の一例である配管・配線部１２ｉが設けられている。この配管・配線部１２ｉは、筐体１２ａの内側に後退する凹部で構成されており、凹部の奥面１２ｋには、配管を接続するための後述する継手２２、６２、７６が設けられている。これにより、この継手に接続された配管が配索される配管・配線スペースが配管・配線部１２ｉで形成されており、燃料電池ユニット１２に接続された配管が配管・配線部１２ｉより延出するように構成されている。この配管としては、後述する発電用燃料である都市ガスを供給するガス管２４が挙げられる。
【００３４】
なお、本実施形態においては、配管・配線部１２ｉにガス継手２２、入側管継手６２、及び出側継手７６が設けられている場合について説明するが、配管・配線部１２ｉに設けられた継手は、これらに限定されるものではない。これらの継手以外にも、例えばドレン接続継手や、各種水抜き継手等が設けられている。
【００３５】
また、これらの継手２２、６２、７６は、燃料電池側メンテナンス面１２ｂよりも突出させても良い。この場合、継手等の突設部位が、配管を配索する配管部の一例としての配管・配縁部１２ｉとなる。
【００３６】
図１に示したように、給湯器ユニット１４は、奥行寸法より幅寸法が長い直方体形状に形成されており、下側を構成する下部構成部１６と、上側を構成する給湯器本体１８と備えている。下部構成部１６としては、一例として据置台が挙げられる。下部構成部１６及び給湯器本体１８からなる給湯器ユニット１４の筐体１４ａは、横幅方向に位置する左側面１４ｅから右側面１４ｆまでの幅寸法をＷ２、底面１４ｇから天面１４ｈまでの高さ寸法をＨ２、正面１４ｄから背面１４ｃまでの奥行寸法をＤ２とすると、奥行寸法Ｄ２より幅寸法Ｗ２が長い（Ｄ２＜Ｗ２）。
【００３７】
なお、給湯器ユニット１４の正面１４ｄ及び背面１４ｃは、説明の都合上付した名称であり、表面の意匠性の違いや設置状態での向きを限定するものではない。また、給湯器ユニット１４の左側面１４ｅ及び右側面１４ｆも、説明の都合上付した名称であり、表面の意匠性の違いや設置状態での向きを限定するものではない。
【００３８】
給湯器本体１８の筐体１８ａの右側面（給湯器ユニット１４の右側面１４ｆの上部）は、排気口を有する給湯器側メンテナンス面１８ｂを構成しており、給湯器側メンテナンス面１８ｂは、例えばフレームにヒンジを介して固定された扉構造や、周縁部がネジで固定された取り外し可能なパネル構造が挙げられる。これにより、給湯器側メンテナンス面１８ｂを開放することで、給湯器本体１８内部のメンテナンスが行える。
【００３９】
なお、このようなメンテナンス面を、追加的に例えば天面１４ｈ、背面１４ｃ、正面１４ｄに設定しても良い。
【００４０】
また、下部構成部１６の筐体１６ａの右側面（給湯器ユニット１４の右側面１４ｆの下部）も、例えばメンテナンス面１６ｂを構成しており、このメンテナンス面１６ｂは、例えばフレームにヒンジを介して固定された扉構造や、周縁部がネジで固定された取り外し可能なパネル構造が挙げられる。これにより、メンテナンス面１６ｂを開放することで、例えば給湯器本体１８に接続された配管等のメンテナンスが行える。
【００４１】
そして、給湯器ユニット１４の奥行寸法Ｄ２は、燃料電池ユニット１２の奥行寸法Ｄ１より短く設定されている。ここで、この給湯器ユニット１４としては、外形寸法がそれぞれ異なる標準タイプやスリムタイプやコンパクトタイプが用意されており、どのタイプの給湯器ユニット１４を利用しても良い。
【００４２】
燃料電池システム１０の燃料電池ユニット１２は、図３に示すように、発電を行う燃料電池モジュール２０を備えている。燃料電池モジュール２０は、ガス供給路２１を介して、ガス継手２２に接続されており、ガス継手２２には、ガス管２４が接続されている。ガス管２４からは炭化水素原料の一例であるメタンを主成分とする都市ガスまたはプロパン・ブタンを主成分に持つ液化石油ガスが燃料として供給される。ガス供給路２１には、脱硫部２６が設けられており、供給されるガスに含まれた硫黄分や硫黄化合物が脱硫部２６で除去されて燃料電池モジュール２０に供給される。なお、図３には、都市ガスを用いた場合が一例として挙げられている。
【００４３】
また、燃料電池モジュール２０は、供給ポンプ２８を有する改質水流入路３０を介して改質水タンク３２に接続されており、燃料電池モジュール２０には、改質水タンク３２に貯留された改質水が供給ポンプ２８で供給される。この燃料電池モジュール２０は、都市ガスまたは液化石油ガスと改質水とを改質反応させて水素等を生成する図外の改質器を備えている。
【００４４】
この燃料電池モジュール２０は、改質器で生成した水素とブロア２０ａで送られた空気中の酸素を利用して発電を行う図示しない発電部を備えている。燃料電池モジュール２０の発電部からの直流電力は、インバーター回路３８によって交流電力に変換された後、接続端子４０に接続された電源コード９２を介して外部へ供給される。
【００４５】
燃料電池モジュール２０には、改質や発電でガスを利用する際に発生した排ガスを排出する排出路３４が接続されている。排出路３４には、排気熱交換機３６が設けられており、排気熱交換機３６より下流側が改質水タンク３２に接続されている。燃料電池モジュール２０からの燃焼排ガスは、排気熱交換機３６で冷却され、含有した水蒸気が凝縮される。これにより、燃焼排ガスは、液体と気体とに分けられ、液体は改質水タンク３２へ送られて改質水として再利用される。また、気体は、燃料電池側メンテナンス面１２ｂの排気口１３より排気される（図１及び図２参照）。
【００４６】
排気熱交換器３６には、供給路４２が接続されている。供給路４２には、熱回収ポンプ４４及びラジエータ４６が設けられており、供給路４２は、ラジエータ４６の上流側が貯湯タンク４８に接続されている。貯湯タンク４８には、伝熱媒体５０が貯留されており、伝熱媒体５０としては、一例として水が使用されている。
【００４７】
この供給路４２は、貯湯タンク４８の下部に接続されており、貯湯タンク４８の下部に貯留した伝熱媒体５０が優先的に排気熱交換機３６へ送られる。貯湯タンク４８から供給路４２に供給された伝熱媒体５０は、ラジエータ４６で冷却された後、熱回収ポンプ４４によって排気熱交換機３６へ送られる。なお、ラジエータ４６は、図示しないラジエータファンを備えており、供給される伝熱媒体５０が高温の際など必要に応じてファンモータを作動する。
【００４８】
排気熱交換器３６には、排出路５２が接続されており、排気熱交換器３６を通過した伝熱媒体５０は、排出路５２を介して貯湯タンク４８に戻される。排出路５２は、貯湯タンク４８の上部に接続されている。燃料電池モジュール２０からの燃焼排ガスの熱は、排気熱交換器３６によって伝熱媒体５０へ移動され、この熱で加熱された伝熱媒体５０は、貯湯タンク４８の上部に戻される。この排気熱交換器３６や貯湯タンク４８等によって蓄熱ユニットが構成される。
【００４９】
貯湯タンク４８に貯留された伝熱媒体５０は、上水熱交換器５４及び加熱ポンプ５６を有した循環路５８を介して貯湯タンク４８へ戻される。加熱ポンプ５６は、貯湯タンク４８の伝熱媒体５０で上水を加熱する際に作動する。
【００５０】
循環路５８の上流側は、貯湯タンク４８の上部に接続されており、貯湯タンク４８の上部に貯留された伝熱媒体５０が優先的に上水熱交換器５４へ供給される。循環路５８の下流側は、貯湯タンク４８の下部に接続されており、上水熱交換器５４で熱が奪われた伝熱媒体５０は、貯湯タンク４８の下部側に戻される。
【００５１】
上水熱交換器５４には、流入側分岐点６０ａを有する流入路６０が接続されている。流入路６０は、入側管継手６２に接続されている。入側管継手６２は、例えば水道管の給水管６４に接続されており、流入路６０には、上水が供給される。
【００５２】
上水熱交換器５４には、流出路６６が接続されている。流出路６６には、流出側分岐点６６ａが設けられており、流出側分岐点６６ａには、補水弁６８を有した補水路７０が接続されている。補水路７０は、貯湯タンク４８の上部に接続されており、補水弁６８を開作動することで、上水熱交換器５４からの上水を伝熱媒体５０として貯湯タンク４８の上部から供給することができる。
【００５３】
流出路６６の流出側分岐点６６ａの下流には、混合弁７２が設けられている。混合弁７２は、バイパス路７４を介して流入側分岐点６０ａに接続されている。混合弁７２は、流入路６０からの上水と上水熱交換器５４からの上水とを混合する弁であり、例えば流出温が予め定められた設定温度となるように、流入路６０からの上水と上水熱交換器５４からの上水との混合比を調整する。
【００５４】
流出路６６の混合弁７２より下流側は、出側継手７６が接続されており、出側継手７６は、出湯管７８を介して、給湯器ユニット１４の入水継手８０に接続されている。
【００５５】
給湯器ユニット１４のガス継手８２には、ガス管２４が接続されており、給湯器ユニット１４には、ガス管２４から都市ガスまたはプロパン・ブタンを主成分に持つ液化石油ガスが供給される。また、給湯器ユニット１４の給湯継手８４には、給湯管８６が接続されている。この給湯器ユニット１４は、都市ガスまたはプロパン・ブタンを主成分に持つ液化石油ガスを燃焼することで、入水継手８０より供給された上水を、図外のリモコンで設定された温度まで加熱し給湯管８６によって供給する。
【００５６】
なお、本実施形態では、燃料電池ユニット１２からのガス管２４と給湯器ユニット１４からのガス管２４とを互いに接続してガス供給源に接続する場合について説明したが、これに限定されるものではない。燃料電池ユニット１２からのガス管２４と給湯器ユニット１４からのガス管２４とを、それぞれ独立してガス供給源に接続してもよい。
【００５７】
図４は、燃料電池システム１０の配置状態を示す図であり、燃料電池システム１０を隣地境界線（後述する通路９０の他側縁９０ｂ）に沿って延在する通路９０に設置した状態が示されている。この通路９０は、長さ方向Ｎの一方Ｉが閉鎖された袋小路で構成されている。
【００５８】
この通路９０には、長さ方向Ｎの一方Ｉ側に燃料電池ユニット１２が設置されており、その燃料電池側メンテナンス面１２ｂが長さ方向Ｎの他方Ｔ側に位置するように配置されている。この燃料電池ユニット１２は、一例として通路幅方向ＴＷにおいて通路９０の建物１１０側の一側縁９０ａ寄りに配置されており、燃料電池ユニット１２の背面１２ｃが一側縁９０ａ側に位置するように配置されている。
【００５９】
また、燃料電池ユニット１２より通路９０の長さ方向Ｎの他方Ｔ側には、給湯器ユニット１４が設置されている。これにより、燃料電池ユニット１２の燃料電池側メンテナンス面１２ｂが給湯器ユニット１４側に位置するように構成されている。
【００６０】
この給湯器ユニット１４は、給湯器本体１８の給湯器側メンテナンス面１８ｂ及び下部構成部１６のメンテナンス面１６ｂが他方Ｔ側に位置するように配置されている（図１参照）。この給湯器ユニット１４も、通路幅方向ＴＷにおいて通路９０の一側縁９０ａ寄りに配置されており、給湯器ユニット１４の背面１４ｃが一側縁９０ａ側に位置するように配置されている。
【００６１】
燃料電池ユニット１２の燃料電池側メンテナンス面１２ｂ側の配管・配線部１２ｉ（図２参照）からは、ガス管２４と出湯管７８と給水管６４が延出している。各管２４、６４、７８は、燃料電池ユニット１２の右側面１２ｆにおける通路９０の一側縁９０ａ側から延出しており、通路９０の一側縁９０ａに沿って配索されている。
【００６２】
給水管６４は、水道管の配水管に接続されており、ガス管２４は、給湯器ユニット１４の左側面１４ｅに接続されるとともに、ガス本管に接続されている。また、出湯管７８は、給湯器ユニット１４の左側面１４ｅに接続されている。
【００６３】
燃料電池ユニット１２の燃料電池側メンテナンス面１２ｂ側からは、燃料電池ユニット１２へ給電を行う給電線や燃料電池ユニット１２で発電した電力を供給する供給線を有した電源コード９２が延出している。この給電線や供給線は、同一の線で共用しても良い。また、燃料電池側メンテナンス面１２ｂからは、例えば電流監視線やリモコン線や停電時発電コンセントや給湯器ユニット１４に接続される電源線等も延出する場合がある。
【００６４】
電源コード９２は、通路９０の一側縁９０ａ側から延出しており、通路９０の一側縁９０ａに沿って配索されている。この電源コード９２は、通路９０の一側縁９０ａ側に設けられた配電盤９４に接続されており、この配電盤９４を介して商用電源に接続されている。
【００６５】
なお、本実施形態では、配電盤９４を燃料電池ユニット１２と給湯器ユニット１４との間に設けた場合を例に挙げて説明したが、これに限定されるものではない。配電盤９４は、作業者がアクセスしてメンテナンスすることができれば、例えば燃料電池ユニット１２の一方Ｉ側や、燃料電池ユニット１２の裏側や、給湯器本体１８の裏側や、給湯器本体１８より他方Ｔ側に設けても良い。
【００６６】
給湯器ユニット１４からは、給湯管８６が背面１４ｃ側から延出しており、給湯管８６は、建物１１０内でお湯が利用される箇所へ配索されている。また、給湯器ユニット１４からは、電源コード９６が背面１４ｃ側から延出しており、電源コード９６は、商用電源に接続されている。なお、この電源コード９６は、商用電源に代えて燃料電池ユニット１２に接続しても良い。
【００６７】
なお、本実施形態では、通路９０の長さ方向Ｎの一方Ｉ側に燃料電池ユニット１２を配置し、他方Ｔ側に給湯器ユニット１４を配置したが、これに限定されるものではなく、通路９０の一方Ｉ側に給湯器ユニット１４を配置し、他方Ｔ側に燃料電池ユニット１２を配置してもよい。
【００６８】
次に、本実施形態の作用及び効果について説明する。
【００６９】
燃料電池ユニット１２は、その筐体１２ａの燃料電池側メンテナンス面１２ｂに配管用の配管部・配線部１２ｉと、排気を排出する排気口１３とが集約されている。
【００７０】
このため、燃料電池側メンテナンス面１２ｂと配管・配線部１２ｉと排気口１３とが異なる面に設けられ、設置時において、燃料電池側メンテナンス面１２ｂ側に作業空間を確保し、配管・配線部１２ｉ側に配索空間を確保するとともに、排気口１３側に排気空間を確保しなければならない場合と比較して、配置の自由度が高まる。
【００７１】
また、燃料電池側メンテナンス面１２ｂ側へアクセスできれば、配管・配線部１２ｉでの配管の検査やメンテナンス、筐体１２ａ内部の検査やメンテナンス、及び排気口１３の検査やメンテナンスなどを行うことができる。
【００７２】
したがって、燃料電池ユニット１２の配置の自由度を高めつつ、保守点検作業性、すなわちメンテナンス性を向上することができる。
【００７３】
さらに、筐体１２ａの燃料電池側メンテナンス面１２ｂに配管・配線部１２ｉと排気口１３とが集約される。このため、筐体１２ａの他の面の構造を例えば平板で構成するなど簡素化を図ることが可能となり、製造コストを抑えることができるとともに、工場での製品の組立性が向上する。
【００７４】
また、燃料電池側メンテナンス面１２ｂが筐体１２ａの右側面１２ｆに設定されている。このため、当該燃料電池側メンテナンス面１２ｂが通路９０の長さ方向Ｎに位置するように筐体１２ａを設置することで、作業空間、配索空間、及び排気空間を通路９０の長さ方向Ｎに確保することができる。
【００７５】
このため、配管・配線部１２ｉや排気口１３の方向を優先して配置した結果、燃料電池側メンテナンス面１２ｂが通路幅方向ＴＷに位置してしまう場合と比較して、通路９０の長さ方向Ｎに広い作業空間を確保することができる。
【００７６】
このとき、燃料電池側メンテナンス面１２ｂが通路９０の長さ方向Ｎの一方側又は他方側に位置するように筐体１２ａを配置すれば、燃料電池側メンテナンス面１２ｂの方向は限定されない。このように筐体１２ａの反転設置が可能なので、配置の自由度が高まる。
【００７７】
そして、燃料電池側メンテナンス面１２ｂが筐体１２ａの天面１２ｈに設定された場合と比較して、メンテナンス時の作業性が向上するとともに、排気口１３からの雨水の浸入対策も容易となる。
【００７８】
また、筐体１２ａは、奥行より横幅が長い直方体形状であり、燃料電池側メンテナンス面１２ｂは、筐体１２ａの横幅方向に位置する右側面１２ｆに設定されている。
【００７９】
このため、筐体１２ａの横幅方向を通路９０の長さ方向Ｎに合わせて設置すれば、通路９０の長さ方向Ｎに広い作業空間を確保しつつ、筐体１２ａと通路９０の他側縁９０ｂとの間の第一スペース１００の第一通路幅ＴＷ１を広くすることができる。これにより、筐体１２ａの側部に通り抜けスペースを形成することが容易となる。
【００８０】
なお、本実施形態では、筐体１２ａの横幅方向に位置する右側面１２ｆに燃料電池側メンテナンス面１２ｂを設定したが、これに限定されるものではない。例えば、筐体１２ａの側面を構成する左側面１２ｅや正面１２ｄや背面１２ｃを燃料電池側メンテナンス面１２ｂとしてもよい。一方、本実施形態では、天面１２ｈを天面側メンテナンス面１２ｊとしたが、天面１２ｈをメンテナンス面としなくても良い。
【００８１】
また、筐体１２ａは、奥行寸法より幅寸法の長い直方体形状としたが、これに限定されるものではなく、幅寸法より奥行寸法が長い直方体形状としてもよい。
【００８２】
また、本実施形態では、燃料電池ユニット１２の燃料電池側メンテナンス面１２ｂが通路９０の一方Ｉ側に位置するように配置したが、これに限定されるものではない。例えば、燃料電池ユニット１２の燃料電池側メンテナンス面１２ｂが通路９０の他方Ｔ側に位置するように配置してもよい。
【符号の説明】
【００８３】
１０    燃料電池システム
１２    燃料電池ユニット
１２ｂ  燃料電池側メンテナンス面
１３    排気口
２０    燃料電池モジュール
２４    ガス管
【図１】
2018160324.tif 000003
【図２】
2018160324.tif 000004
【図３】
2018160324.tif 000005
【図４】
2018160324.tif 000006
【手続補正書】
【提出日】平成29年11月10日(2017.11.10)
【手続補正１】
【補正対象書類名】明細書
【補正対象項目名】０００９
【補正方法】変更
【補正の内容】
【０００９】
第一態様では、筐体の内部のメンテナンスを行うためのメンテナンス面に、前記筐体内の燃料電池モジュールに発電用燃料を供給する配管を含む当該筐体に接続される総ての配管が配索される配管部と、前記燃料電池モジュールからの排気を排出する排出部と、が設けられている。
【手続補正２】
【補正対象書類名】特許請求の範囲
【補正対象項目名】全文
【補正方法】変更
【補正の内容】
【特許請求の範囲】
【請求項１】
筐体の内部のメンテナンスを行うためのメンテナンス面に、
前記筐体内の燃料電池モジュールに発電用燃料を供給する配管を含む当該筐体に接続される総ての配管が配索される配管部と、
前記燃料電池モジュールからの排気を排出する排出部と、
が設けられている燃料電池ユニット。
【請求項２】
前記筐体の側面に前記メンテナンス面が設定されている請求項１記載の燃料電池ユニット。
【請求項３】
前記筐体は、奥行より横幅が長い直方体形状であり、
前記メンテナンス面は前記筐体の横幅方向に位置する一側面に設定されている請求項２記載の燃料電池ユニット。
【手続補正書】
【提出日】平成30年3月30日(2018.3.30)
【手続補正１】
【補正対象書類名】明細書
【補正対象項目名】０００９
【補正方法】変更
【補正の内容】
【０００９】
第一態様では、筐体の側面に設定され前記筐体の内部のメンテナンスを行うためのメンテナンス面に、前記筐体内の燃料電池モジュールに発電用燃料を供給する配管を含む当該筐体に接続される総ての配管が配索される配管部と、前記燃料電池モジュールからの排気を排出する排出部と、が設けられ、前記配管部は、前記筐体の内側に後退する凹部で構成され、該凹部の奥面に、配管を接続するための継手が設けられている。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
また、メンテナンス面が筐体の側面に設定されるので、当該メンテナンス面が通路の長さ方向に位置するように筐体を設置することで、施工やメンテナンスの作業空間、配索空間、及び排気空間を通路の長さ方向に確保することができる。
【手続補正４】
【補正対象書類名】明細書
【補正対象項目名】００１８
【補正方法】変更
【補正の内容】
【００１８】
第二態様では、前記筐体は、奥行より横幅が長い直方体形状であり、前記メンテナンス面は前記筐体の横幅方向に位置する一側面に設定されている。
【手続補正５】
【補正対象書類名】特許請求の範囲
【補正対象項目名】全文
【補正方法】変更
【補正の内容】
【特許請求の範囲】
【請求項１】
筐体の側面に設定され前記筐体の内部のメンテナンスを行うためのメンテナンス面に、前記筐体内の燃料電池モジュールに発電用燃料を供給する配管を含む当該筐体に接続される総ての配管が配索される配管部と、前記燃料電池モジュールからの排気を排出する排出部と、が設けられ、
前記配管部は、前記筐体の内側に後退する凹部で構成され、該凹部の奥面に、配管を接続するための継手が設けられている燃料電池ユニット。
【請求項２】
前記筐体は、奥行より横幅が長い直方体形状であり、
前記メンテナンス面は前記筐体の横幅方向に位置する一側面に設定されている請求項１記載の燃料電池ユニット。